(57)【特許請求の範囲】
【請求項１】
左右一対の観音開き式ドアを有するコンテナにおいて、
前記いずれか一方のドア表面に、所要の長さを有する索条体の基端部が固定されるとともに、前記索条体の先端部を、他方のドア表面に付設された係止部材に着脱自在に装着可能としたものであって、
前記係止部材に索条体の先端部を装着した状態で、前記左右一対の観音開き式ドアが一定範囲内で解放されるよう構成されていること
を特徴とするコンテナにおけるドア開閉装置。
【請求項２】
前記索条体は、
先端部にリング状の係着部が付設されていること
を特徴とする請求項１に記載のコンテナにおけるドア開閉装置。
【請求項３】
前記係止部材は、
前記他方のドアを構成する縦方向のパネルフレームに装着されるものであって、所要の間隔を存して直線状に配置される複数の中空体と、これら中空体を貫通する係止杆と、この係止杆に付設される操作ハンドルとからなるもので、前記中空体を貫通する係止杆の所要部位に前記索条体の先端部を係着させるよう構成されていること
を特徴とする請求項１又は２に記載のコンテナにおけるドア開閉装置。
【請求項４】
前記コンテナは、
前記ドアが配置される妻と反対側の妻の上部に、複数の通気路が構成されていること
を特徴とする請求項１〜３のいずれかに記載のコンテナにおけるドア開閉装置。
【請求項５】
前記コンテナは、
コンテナ主体と左右一対のドアとの間に生ずる空隙部の全てが、パッキンおよびガスケットによって密封されていること
を特徴とする請求項１〜４のいずれかに記載のコンテナにおけるドア開閉装置。
【発明の詳細な説明】
【技術分野】
【０００１】
この発明は、瓦礫などの廃棄物の搬送に際し、コンテナ内に収容した瓦礫が搬送途中において、ドア側に偏倚していても、安全にドアを開閉することのでるコンテナのドア開閉装置に関するものである。
【背景技術】
【０００２】
建築現場では、掘削した土壌や取り壊した建造物から大量の廃棄物が発生する。
一方、地震や津波による自然災害に際しても、大量の廃棄物が生じる。
こられ廃棄物の多くは、瓦や土砂、建物土台石や塀石、さらには庭石などの瓦礫や、倒壊した家屋に使用されていた建築材やなぎ倒された木や、その枝などである。
【０００３】
これら廃棄物は、緊急を要する場合には殊更分別されることなく、ショベルなどの重機を使用してダンプトラックの荷台に積み込まれて処理場まで搬送される。
ダンプトラックでは処理が追いつかない場合には、海上輸送などに使用される大型のコンテナに積載されて搬送される。
かかる用途に利用される大型のコンテナは、その天蓋は、基本的に開口可能なように着脱式とされている。
【０００４】
かくしてコンテナなどにバラ積みされた各種廃棄物（以下、バルクという。）は、処理場においてコンテナを傾斜させてバルクをコンテナ外に排出するが、輸送中に積載されたバルクが外に飛び出さないように、コンテナの妻側の側面には、開閉式のドアを開閉するためのロック機構が設けられている。
【０００５】
このロック機構は、図示しないが、一般的には、ドアの上枠，下枠の間に延びてドアの閉鎖をロックするロッキングロッドと、ロッキングロッドに取付けられてロッキングロッドおよびドアの開閉を操作する操作ハンドルとから構成されている。
【０００６】
しかしながら、コンテナ内に積載されたバルクは、各種の廃棄物から構成され、搬送中の揺れや衝撃などで、進行方向の後方の開閉ドア側に偏在していることが多い。
この状態でドアを開閉すると、ドア側に偏在するバルクによって、ドアが一気に押し開かれ、ドア近傍の作業員に不測の損傷を与えるおそれを有し、かつバルクがドアの開放と同時に四周に飛散することがしばしば生じている。
【０００７】
一方、例えば、特開平０７−２４１５３９号公報（特許文献１）においては、手動で半開きされたコンテナの左右一対の扉を、自動的に全開位置に開扉及びロックすることによって、安全かつ迅速に洗浄，乾燥，荷役等の作業を行うことができるコンテナ扉の半自動開閉装置が提案されている。
【０００８】
このコンテナ扉の半自動開閉装置は、
コンテナ受入れステージのコンテナ扉口側間口部に付設され、コンテナの左右一対の両開き型扉の半開き角を検出するスイッチ手段と、
上記コンテナ扉を半開き位置から９０°全開位置へ開く左右１対の扉送り部材と、
上記コンテナ扉の９０°全開位置で同扉をロックするロック手段と
を具えたことを特徴としている。
【０００９】
さらに、特開平１０−００１１８９号公報（特許文献２）では、左右一対の開閉扉の上端部のロック状態を確実に保持することができるとともに、コンテナの内側から荷物による大きな外力が作用した場合に、変形や破損を確実に防止することができるコンテナにおける開閉扉のロック機構が提案されている。
【００１０】
この特許文献２に記載の発明は、コンテナの後側の左右一対の開閉扉をロックするロック機構であって、
一方の開閉扉の上部外表面に対し、他方の開閉扉の外表面側に延出されるロックバーを横向きに片持ち固定し、他方の開閉扉の外表面に、縦方向に延びる操作ロッドを所定位置において、
その中心軸線の周りで回動可能に支持し、前記操作ロッドの上部には、前記ロックバーに設けたロックピンに掛止されるフックを取り付け、操作ロッドの下部には、前記ロッドをその中心軸線の回りで往復回動する操作機構を設けてなるものである。
【先行技術文献】
【特許文献】
【００１１】
【特許文献１】特開平０７−２４１５３９号公報（請求項１，段落０００３，同０００４）
【特許文献２】特開平１０−００１１８９号公報（請求項１，図１）
【発明の概要】
【発明が解決しようとする課題】
【００１２】
前記特許文献１に記載の発明は、左右一対のドアをそれぞれ全開状態において、コンテナ内で作業しているとき、あるいは扉を全開した状態でコンテナを横送りするとき、コンテナ扉が自由に開閉可能な状態にあると、扉に予期しない開閉移動を生じ、作業に支障を及ぼすのみならず、作業員が怪我をする等の危険を鑑み提案されたもので、積載したバルクの状態を考慮したものではない。
【００１３】
したがって、前記コンテナ内のドア側にバルクが偏在している場合、ドアを作業員が開閉しようとする際、飛び出したバルクによってドアが一気に開けられ、その反動で作業員がドアによって後方に弾き飛ばされ、怪我をするおそれがある。
【００１４】
前記特許文献２に記載の発明は、従来のコンテナが、開閉扉の上部に設けたロック機構は、左右一対の開閉扉同士を、その突き合わせ部近傍において互いにロック部材によりロックする構造を採っている。
そのため、開閉扉の内側に荷物による大きな押圧力が作用した場合に、開閉扉及びロック機構に大きな負荷が作用し、ロック機構が変形し易く、開閉扉を安定してロックすることが難しいという問題に鑑みされたものである。
【００１５】
したがって、コンテナの内側から荷物による大きな外力が開閉扉に作用した場合に、変形や破損を確実に防止して、左右一対の開閉扉の上端部のロック状態を安定して保持することができるコンテナにおける開閉扉のロック機構を目的にしたもので、バルクによるドアの開閉による作業員の危険性については一切考慮されてはいない。
【００１６】
この発明はかかる現状に鑑み、コンテナ内のバルクがドア側に偏在していても、バルクの排出に際し、作業員がドアの開放による危険性を回避できる安全なドア開閉装置を有するコンテナの提供を目的とするものである。
【００１７】
さらに、この発明は、バルク内に混ざった水分を搬送中外部に一切漏出させることがなく、バルクの排出時にコンテナを傾斜させたとき、コンテナのドアと反対側に負圧が生じることを防止することのできるコンテナを提供することを目的とする。
【課題を解決するための手段】
【００１８】
前記課題を解決するため、この発明の請求項１に記載の発明は、
左右一対の観音開き式ドアを有するコンテナにおいて、
前記いずれか一方のドア表面に、所要の長さを有する索条体の基端部が固定されるとともに、前記索条体の先端部を、他方のドア表面に付設された係止部材に着脱自在に装着可能としたものであって、
前記係止部材に索条体の先端部を装着した状態で、前記左右一対の観音開き式ドアが一定範囲内で解放されるよう構成されていること
を特徴とするコンテナにおけるドア開閉装置である。
【００１９】
この発明の請求項２に記載の発明は、
請求項１に記載のコンテナにおけるドア開閉装置において、
前記索条体は、
先端部にリング状の係着部が付設されていること
を特徴とするものである。
【００２０】
この発明の請求項３に記載の発明は、
請求項１又は２に記載のコンテナにおけるドア開閉装置において、
前記係止部材は、
前記他方のドアを構成する縦方向のパネルフレームに装着されるものであって、所要の間隔を存して直線状に配置される複数の中空体と、これら中空体を貫通する係止杆と、この係止杆に付設される操作ハンドルとからなるもので、前記中空体を貫通する係止杆の所要部位に前記索条体の先端部を係着させるよう構成されていること
を特徴とするものである。
【００２１】
この発明の請求項４に記載の発明は、
請求項１〜３のいずれかに記載のコンテナにおけるドア開閉装置において、
前記コンテナは、
前記ドアが配置される妻と反対側の妻の上部に、複数の通気路が構成されていること
を特徴とするものである。
【００２２】
この発明の請求項５に記載の発明は、
請求項１〜４のいずれかに記載のコンテナにおけるドア開閉装置において、
前記コンテナは、
コンテナ主体と左右一対のドアとの間に生ずる空隙部の全てが、パッキンおよびガスケットによって密封されていること
を特徴とするものである。
【発明の効果】
【００２３】
この発明にかかるコンテナにおけるドア開閉装置は、左右一対の観音開き式ドアの、いずれか一方のドア表面に、所要の長さを有する索条体の基端部を固定し、前記索条体の先端部を、他方のドア表面に付設された係止部材に着脱自在に装着させ、前記係止部材に索条体の先端部を装着した状態で、前記左右一対の観音開き式ドアが一定範囲内で解放されるよう構成されているので、コンテナ内に収容されている積載物を排出する際、事前に左右一対の観音開き式ドアを一定範囲内で解放することによって、積載物の荷崩れによる急激なドアの開放がないので、ドアの近傍にいる作業員に損傷を与える危険性が確実に防止できる。
【００２４】
特に、この発明においては、ドアの開放を制御する機構は、一つの索条体と、この索条体の先端部を着脱自在に保持する係止部材とから構成されているので、誰もが簡単かつ容易に操作することが可能なもので、既存のコンテナにも簡単に装着することができるなど実用上多大の利点を有するものである。
【図面の簡単な説明】
【００２５】
【図１】この発明にかかるコンテナにおけるドア開閉装置の一例を示す正面図である。
【図２】図１に示す円内の拡大正面図である。
【図３】この発明のコンテナにおけるドア開閉装置の前妻側の正面図である。
【図４】前妻側に設けられた通気部の拡大断面図である。
【図５】前妻側に設けられた通気部の他の例を示す拡大断面図である。
【図６】この発明のコンテナにおけるドア開閉装置における開閉用ドアの概略説明図である。
【図７】図６における要部の拡大平面図である。
【発明を実施するための形態】
【００２６】
以下、この発明にかかるコンテナにおけるドア開閉装置の一実施例を、添付の図面に基づいて具体的に説明する。
なお、この発明は、図面に示す実施例にのみ限定されるものではなく、要旨を変更しない範囲内において種々改良を加えることができるものである。
【００２７】
図１は、この発明にかかるコンテナにおけるドア開閉装置１の後妻側の正面図である。
前記ドア開閉装置を有するコンテナ１は、特に図示しないが、国際海上コンテナの基準であるＩＳＯ（国際標準化機構）やＣＳＣ（コンテナの安全に関する国際条約）に適合したものである。
このコンテナ１の主用途はバルクの搬送であるが、通常の貨物も当然搬送可能なものである。
【００２８】
前記コンテナ１を構成するコンテナ主体１ａは、上面部が開口され、後妻側に設けられた開口部を観音開き式の左右一対のドア２ａ，２ｂによって開閉自在としたもので、前記上面部の開口には天蓋３が着脱自在に装着され、上面部を開閉自在としている。
なお、前記天蓋３は、クレーン等を使用して取り外し・固定を行うものであるが、用途によっては、天蓋３を必要としない場合もあるので、前記天蓋３は必ずしも必須のものではない。
【００２９】
前記左右一対のドア２ａ，２ｂは、走行中に不用意に開放されることがないよう、ドア２ａ，２ｂの上枠，下枠の間に延びてドアの閉鎖をロックするロッキングロッド４と、このロッキングロッド４に取付けられてロッキングロッドおよびドアの開閉を操作する操作ハンドル５とから構成されるロック機構が設けられているもので、さらに、以下に述べるドア開閉装置Ａが付設される。
【００３０】
この発明におけるドア開閉装置Ａは、図２で明らかなように、一方のドア２ａ側に、基端部を、例えば、台座７を利用して固着させる金属製のチェンなどからなる索条体６と、他方のドア２ｂ側の枠材Ｆに付設され、前記索条体６の先端部が着脱自在に装着できる係止部材８とから構成されるものである。
【００３１】
前記索条体６は、使用時の強度保持の観点から金属製のものを使用しているが、使用時に損傷しない程度の強度を有するものであれば、その材質については特段の制限はなく、少なくとも索条体６の先端部には、リング状の係着部を有することが好ましい。
【００３２】
前記係止部材８は、他方のドア２ｂの枠材Ｆに上下方向の所要の間隔を存して一直線上に配置された複数の円筒状の中空体８ａ，８ｂ，８ｃと、これら中空体８ａ，８ｂ，８ｃを貫通する円柱状の係止杆８ｄと、この係止杆８ｄの所要部位に付設された操作ハンドル８ｅとから構成されている。
【００３３】
この係止部材８は、前記操作ハンドル８ｅを上方に持ち上げ、当該操作杆８ｄの基端部を最下方に位置する中空体８ｃから離脱させたのち、前記索条体６の先端部に一体的に設けられたリング部材６ａを外嵌させ、しかるのち、前記操作杆８ｄの基端部を最下方に位置する中空体８ｃに貫通させることで、左右のドア２ａ，２ｂを、一定の範囲内で開放させるよう構成したものである。
【００３４】
その開放範囲は、前記索条体６の長さによって制御されるので、積載されたバルクの当初の排出量に応じて、索条体６の長さを自在に調節できることが好ましい。
【００３５】
かかるドア開閉装置Ａを有するコンテナ１は、バルクを積載したのち、前記公知のロック機構によって、左右のドアがそれぞれロックされるとともに、一方のドア２ａに基端部が固着された索条体６の先端部を前記係止部材８に係着させ、バルクを最終処理場に搬送するものである。
【００３６】
その際、積載されたバルクはコンテナ１内において、輸送中の振動などによってドア２ａ，２ｂ近傍に偏在していることがある。
かかる状態でバルクを排出のため、前記したドア開閉装置Ａのない状態で作業者がロック機構を解除すると、ドア２ａ，２ｂ近傍に偏在するバルクの荷崩れ（自然落下）によって、ドア２ａ，２ｂが勢いよく外側に押し開かれ、ドア２ａ及び／又は２ｂの近傍にいる作業員にドア２ａ及び／又は２ｂが衝突し、作業者に損傷などを与える危険性がある。
【００３７】
そこで、この発明のドア開閉装置Ａを有するコンテナ１にあっては、ダンプ傾斜させる前に、前記通常のロック機構を解除させる。
このロック機構の解除によって、コンテナ１内の後妻側に偏在するバルクによって、左右のドア２ａ，２ｂは同時に、あるいはバルクの負荷の作用が大きいドアが開き、コンテナ１内のバルクが荷崩れ（自然落下）して、コンテナ１外に吐き出される。
【００３８】
しかしながら、前記ドア開閉装置Ａを有するコンテナ１にあっては、ドア２ａ，２ｂは索条体６によって、その解放度合が一定範囲となるよう制御されている。
したがって、ドア２ａ，２ｂの制限的な開放によって、荷崩れしたバルクのみがコンテナ１外に排出され、その余のバルクはコンテナ１内に残っている。
【００３９】
しかるのち、前記コンテナ１内のバルクが荷崩れしないことを確認したのち、前記ドア開閉装置Ａを構成する一方の係止部材８の操作杆８ｅを上方に持ち上げ、係止杆８ｄを同時に上方に引き上げ、その下端部を最下方に位置する中空体８ｃから離脱させ、前記索条体６との係合を解除させてドア２ａ，２ｂを全開させたのち、コンテナ１をダンプ傾斜させれば、コンテナ１内のバルクを一気に自重で排出せることができる。
【００４０】
なお、図１において、符号９は、前記コンテナ１の上部を構成する天蓋３を、コンテナ１に密着させるための操作ロッドである。
【００４１】
前記したように、コンテナ１内のバルクをすべて処理場に排出させる場合、コンテナ１をダンプ傾斜させると、コンテナ１内の空気が瞬間的に負圧になって、バルクの自重による排出を阻害することが往々にして生じるので、この発明にかかるコンテナ１は、負圧対策が講じられている。
【００４２】
すなわち、この発明におけるコンテナ１は、前妻側の側面の上部には、所要の間隔を存して、コンテナ１内と連通する通気部１０，１０・・・が複数配置されている。
この通気部１０は、図４に示すように、コンテナ１の前妻側の壁面１ｂの上部に形成された開口部１ｃを覆って、コンテナ１の外側から、上部が閉止され、下部が開放されたベントカバー１１を装着させ、このベントカバー１１と前記壁面１ｂとの間に通気路ＡＷを形成したものである。
【００４３】
このベントカバー１１の内側面にはバッフル１１ａが、一方のコンテナ１の壁面１ｂの外側面にも同じくバッフル１ｄが、各バッフルが互いに千鳥状になるよう付設され、ベントカバー１１の上方に形成される空間内には、前記開口部１ｃから活性炭フィルタ１２が取り替え自在に充填されている。
【００４４】
したがって、コンテナ１内と外部とは、前記通気路ＡＷを介して連通されているので、内部の臭気は活性炭フィルタ１２を介して外部に排出され、周囲にバルクの嫌な臭気を撒き散らすおそれがない。
しかも、前記コンテナ１をダンプ傾斜させた場合には、コンテナ１内が通気路を介して外部と連通しているので、内部に負圧を生じさせることなくバルクを重力排出させることができるものである。
【００４５】
図５は、通気部１０の他の例を示すもので、コンテナ１の側壁１ｂに形成された開口部１ｃを挟んで、下部が開口するベントカバー１１，１１を配設し、コンテナ１内側のベントカバー１１内にはエルボ状の中空パイプ１２を、コンテナ１外のベントカバー１１内には、前記中空パイプ１２と連通するエルボ状の中空パイプ１３をそれぞれ付設し、前記中空パイプ１３に中空の接続パイプ１４を介して空調バルブ１５を装着したものである。
【００４６】
前記空調バルブ１５は、コンテナ１内の臭気などを含む空気は外部に排出させず、コンテナ１内が負圧になると、自動的に外部とコンテナ１内を連通させることができる、逆止弁（図示せず）を内蔵するものである。
【００４７】
さらに、この発明のコンテナ１においては、積載されるバルクが水分を含んでいても、前記左右一対のドア２ａ，２ｂの隙間から水分が外部に漏出しないよう、ドア２ａ，２ｂの上部内側と下部内側および前記ドア２ａ，２ｂ間に形成される隙間、さらには前記ドアドア２ａ，２ｂとコンテナ主体１の妻側のフレームＦとの間に生ずる隙間に、それぞれ漏水防止用のガスケットもしくはパッキンが付設されている。
【００４８】
すなわち、図６に示すように、前記コンテナ１の後妻側の開口部に設けられる左右一対のドア２ａ，２ｂは、それぞれパネルＰとこのパネルＰの左右両側縁に配されるパネルフレームＰＦ，ＰＦで構成されている。
しかして、前記外側に位置するパネルフレームＰＦは、前記コンテナ１を構成する側壁１ｂの端部に配置される柱状のフレームＦにヒンジ（図示せず）によって、回動可能に装着されている。
【００４９】
より具体的に説明すると、図７で明らかなように、前記フレームＦは、前記パネルフレームＰＦと相対する部位がＬ字状に形成されたもので、このＬ字状部とパネルフレームＰＦとの間には少なくとも二つの空隙部ＸとＹがＬ字状に形成される。
【００５０】
すなわち、前記空隙部Ｘは、コンテナ１の外方に開口するもので、前記空隙部Ｙは、前記フレームＦとパネルフレームＰＦ間に形成される。
【００５１】
この空隙部Ｘ，Ｙは左右のドア２ａ，２ｂの上部と下部の計４カ所に生じるもので、前記空隙部Ｘには、図示のパッキン１３がそれぞれ介装される。
【００５２】
このパッキン１３は、図６で明らかなように、コンテナ１の外方に向かって形成される開口部密封する円弧状の第一密封部１３ａと、前記空隙部Ｙに連なるパネルフレームＰＦとフレームＦとの間を密封するフック第二密封部１３ｂとで構成されている。
【００５３】
さらに、前記パネルフレームＰＦの背面壁と、この背面壁と相対するフレームＦの長手側壁間に形成される空隙部Ｙには、各ドア２ａ，２ｂの上枠から下枠に亘って所要の幅と厚みを有するシート状のガスケット１４が装着されるとともに、各ドア２ａ，２ｂを構成するパネルＰの上縁部および下縁部に沿って、それぞれ所要の幅と厚みを有するシート状のガスケット１５が装着されている。
【００５４】
さらに、この発明においては、各ドア２ａ，２ｂが互いに接する部位にも隙間が生じるので、この隙間を密封するため、いずれか一方側のドア２ａ，２ｂのパネルフレームＰＦの内側に、他方のパネルフレームＰＦの背面と密着する長さのガスケット１６が装着されているものである。
【００５５】
かかるパッキン１３およびガスケット１４，１５，１６によって、コンテナ１はすべての空隙部が密閉されているため、バルクなどの積載物から生ずる水は、コンテナ１外に一切漏水しないので、輸送中における道路の汚染、保管時の置き場の汚染を確実に防止することができる。
【産業上の利用可能性】
【００５６】
この発明のコンテナのドア開閉装置は、コンテナ内に収納した搬送物が、輸送時の振動等によって観音式開閉ドアの近傍に偏倚していても、通常のドアロック機構の他に、ドアを一定範囲内でのみ開閉させるドア開閉装置が付設されているので、排出時にドアを開けた瞬間に搬送物が荷崩れして一気に外部に排出されることがないので、あらゆるコンテナに利用することができるものである。
【符号の説明】
【００５７】
１          コンテナ
１ａ        コンテナ主体
１ｂ        コンテナ主体の側壁
２ａ，２ｂ  ドア
６          索条体
７          台座
８          係止部材
８ａ〜８ｃ  中空体
８ｄ        係止杆
８ｅ        操作ハンドル
Ａ          ドア開閉装置
【図１】
0005482835.tif 000002
【図２】
0005482835.tif 000003
【図３】
0005482835.tif 000004
【図４】
0005482835.tif 000005
【図５】
0005482835.tif 000006
【図６】
0005482835.tif 000007
【図７】
0005482835.tif 000008